(57)【要約】【課題】本発明は、汚染水中に存在する放射性セシウムを、簡便に回収でき、経済的で、且つ個人レベルの要求に応じても回収作業を進めることのできる除染袋等及び除染方法を提供する。【解決手段】本発明に係る除染袋は、通水性布帛で形成される容量１０ｍＬ〜２５Ｌの外袋と、この袋内に封入され、かつ乾燥時の見かけ容量が、外袋の容量に対して０．０１〜０．８倍量となる放射性セシウム吸着剤とから構成されることを特徴とする。【選択図】図１
2014055855.tif 000002
【特許請求の範囲】
【請求項１】
通水性布帛で形成される容量１０ｍＬ〜２５Ｌの外袋と、
この袋内に封入され、かつ乾燥時の見かけ容量が、外袋の容量に対して０．０１〜０．８倍量となる放射性セシウム吸着剤とから構成されることを特徴とする除染袋。
【請求項２】
前記外袋の容量が１００〜２０００ｍＬであり、かつ前記放射性セシウム吸着剤の見かけ容量が、外袋の容量に対して０．０１〜０．３倍である請求項１に記載の除染袋。
【請求項３】
前記通水性布帛の通水量が、１０ｃｍφ当たり５〜１５００ｍＬ／ｍｉｎである請求項１又は２に記載の除染袋。
【請求項４】
前記外袋は開口部が、縫合、引締め紐、融着又は接着によって閉じられている請求項１〜３のいずれか１項に記載の除染袋。
【請求項５】
前記外袋が引締め紐を備えた巾着袋である請求項１〜４のいずれか１項に記載の除染袋。
【請求項６】
請求項１〜５のいずれか１項に記載の除染袋の１つ以上と、これらと直接又は間接的に結合するアンカーとを備えた除染器具。
【請求項７】
前記除染袋の１つ以上と連結される水浮遊体を更に備える請求項６に記載の除染器具。
【請求項８】
請求項１〜５のいずれか１項に記載された除染袋を水中に沈め、
この除染袋に放射性セシウムを吸着させた後、該除染袋を水中から取り出し、
放射線遮蔽シートが内側に付設された収容部本体と、この収容部本体に開閉可能に取り付けられた蓋体とから構成される回収箱に前記水中から取り出した除染袋を収容して蓋体
を閉じる除染方法。
【発明の詳細な説明】
【技術分野】
【０００１】
本発明は、放射性セシウムの除染方法に関するものであり、特に除染に使用する除染袋、除染器具、及び当該除染袋を用いた除染方法に関する。
【背景技術】
【０００２】
２０１１年３月１１日に東日本を襲った地震・津波により、福島第一原子力発電所では、深刻な原発事故が発生した。この事故により排出された放射性物質は、福島県内のみならず、東北・関東一円にまで飛散し、現在も尚問題となっている。
【０００３】
原子力発電所で使用される核燃料には、ウラン２３５、プルトニウム２３９がある。ウラン２３５は核分裂することにより、セシウム１３４、セシウム１３７等の放射性物質を生成する。今回の原発事故では、約３．６〜５ｋｇのセシウム１３７が東北・関東一円に飛散していると考えられている。
【０００４】
中でもセシウム１３７は、３兆２千億Ｂｑ／ｇという高い放射能を有している。また、セシウム１３７は放出するγ線量も高く、半減期も３０年と長いため、セシウム１３７が環境中に存在し続けることによって、生体が被曝する可能性が高まる。
【０００５】
そこで、被曝の危険性を有する放射性セシウムを適切に回収する手段が提案されている。例えば、非特許文献１には、ポリフェノール化合物の一種である柿タンニンや、同じくポリフェノール化合物の一種であるカテキン類を原料とした放射性セシウム吸着剤が記載されている。また、非特許文献２には、高い粘性、吸着性を有するベントナイトや、結晶構造中に比較的大きな空隙を有するゼオライトを、高密度のマットに固定した製品が記載されている。加えて、以前より、福島県内では籾殻が放射性セシウムを吸着できる材料として知られている。
【０００６】
しかし、前述した放射性セシウムの回収方法では、放射性セシウムの回収率が決して充分なものとは言えなかった。
【０００７】
最近では、放射性セシウムの回収効率に優れた材料として、フェロシアン化物イオンを有する無機化合物（フェロシアン化物）に注目が集まっている（非特許文献３、非特許文献４）。フェロシアン化物は、水中の放射性セシウムを選択的に吸着できるため、放射性セシウムの回収効率が高く、放射性セシウム吸着剤として有用である。
【０００８】
このフェロシアン化物の性質を利用した製品として、例えば、非特許文献５及び非特許文献６には、フェロシアン化コバルト化合物を市販のナイロン繊維に担持させた吸着繊維が記載されている。また非特許文献７には、プルシアンブルーと呼ばれるフェロシアン化物の青色顔料を、布に固着することにより製造された、放射性セシウム吸着能に優れた布が記載されている。更に、非特許文献８には、放射性物質汚染水処理プラントが記載されており、当該システムでは、汚染水（原水）にフェロシアン化鉄を添加することにより、汚染水に含まれる放射性物質を１０Ｂｑ／ｌ以下まで低減できることが示されている。
【先行技術文献】
【非特許文献】
【０００９】
【非特許文献１】日刊工業新聞（平成２４年５月１８日）
【非特許文献２】平成２３年度日本遮水工協秋季全大会、株式会社ボルクレイ・ジャパン発表資料
【非特許文献３】大日精化工業株式会社、放射性セシウム吸着除去剤「紺青」、パンフレット
【非特許文献４】日本経済新聞（平成２４年６月１０日）
【非特許文献５】斉藤、「吸着繊維を使う水中からのセシウム除去＜Ｂｕｌｌ．Ｓｏｃ．Ｓｅａ  Ｗａｔｅｒ  Ｓｃｉ．，Ｊｐｎ．，６５，２８０−２８４，２０１１＞」
【非特許文献６】株式会社環境浄化研究所・千葉大学大学院工学研究科，「繊維状セシウム吸着分離材料の開発」
【非特許文献７】日刊工業新聞（平成２４年５月２９日）
【非特許文献８】東京工業大学有冨研究室・ＮＰＯ法人再生舎，「放射性物質汚染水処理プラントＲＰＭ−ＡＰ１０」パンフレット
【発明の概要】
【発明が解決しようとする課題】
【００１０】
しかし、これらの文献に記載される放射性セシウムの回収方法は、フェロシアン化物を使用しているため、液中に浮遊する放射性セシウムの吸着能力は優れるものの、放射性セシウム回収後の回収作業の点で多くの問題を有する。
【００１１】
非特許文献５〜７に記載される、フェロシアン化コバルト化合物をナイロン繊維に担持させた吸着繊維を用いた吸着材や、放射性セシウム吸着能に優れた布は、水中での除染作業後、水を吸収し重量が増すため、作業員の作業効率が低下する。また、繊維や布にフェロシアン化物が固定されると、フェロシアン化物のみの交換ができず、経済的ではない。
【００１２】
また、非特許文献８に記載される放射性物質汚染水処理プラントは、設置に多大な費用を要する上、個人レベルでの要求に応えることが難しい。そのため、家屋や道路の側溝に堆積する放射性セシウムを回収するという、細かな作業を実施すること等は困難であった。
【００１３】
この様な状況下、本発明は、汚染水中に存在する放射性セシウムを、簡便に回収でき、経済的で、且つ個人レベルの要求に応じても回収作業を進めることのできる除染袋等及び除染方法を提供することを課題として掲げた。
【課題を解決するための手段】
【００１４】
本発明者らは、前記課題を解決するために鋭意研究を重ねた結果、除染袋を容量１０ｍＬ〜２５Ｌの袋とし、加えて外袋容量に対し、乾燥時の見かけ容量が０．０１〜０．８倍である放射性セシウム吸着剤を封入することにより、放射性セシウムの回収作業を簡便に実施でき、更に当該回収方法が経済的であることを見出し、本発明を完成した。
【００１５】
すなわち、本発明に係る除染袋は、通水性布帛で形成される容量１０ｍＬ〜２５Ｌの外袋と、この袋内に封入され、かつ乾燥時の見かけ容量が、外袋の容量に対して０．０１〜０．８倍量となる放射性セシウム吸着剤とから構成されることを特徴とする。特に本発明では、前記外袋の容量が１００〜２０００ｍＬであり、かつ前記放射性セシウム吸着剤の見かけ容量が、外袋の容量に対して０．０１〜０．３倍であることが好ましい。更に、前記通水性布帛の通水量が、１０ｃｍφ当たり５〜１５００ｍＬ／ｍｉｎであることが望ましい態様である。加えて、前記外袋は開口部が、縫合、引締め紐、融着又は接着によって閉じられていることが好ましく、より好適には前記外袋は引締め紐を備えた巾着袋である。
また本発明は、前記除染袋の１つ以上と、これらと直接又は間接的に結合するアンカーとを備えた除染器具も包含する。前記除染器具には、前記除染袋の１つ以上と連結される水浮遊体を更に備えることが好ましい。
加えて本発明は、前記除染袋を水中に沈め、この除染袋に放射性セシウムを吸着させた後、該除染袋を水中から取り出し、放射線遮蔽シートが内側に付設された収容部本体と、この収容部本体に開閉可能に取り付けられた蓋体とから構成される回収箱に前記水中から取り出した除染袋を収容して蓋体を閉じる除染方法も包含する。
【発明の効果】
【００１６】
本発明によれば、外袋内に一定量の放射性セシウム吸着剤を封入することにより、汚染水中に存在する放射性セシウムを簡便に回収することができる。特に、外袋を小袋とすることにより、水を含んだ除染作業後の除染袋を片手でも持ち上げることができるため、作業効率を落とすことなく、除染作業を進めることが可能となる。
【図面の簡単な説明】
【００１７】
【図１】図１は、放射性セシウム吸着剤が封入された除染袋の構成を示したものである。
【図２】図２は、除染袋１の使用方法の一例である海での使用態様を示した説明図である。
【図３】図３は、除染に供せられ使用済みの除染袋１を回収するための回収箱の構成を示した斜視図である。
【発明を実施するための形態】
【００１８】
以下、本発明に係る除染袋に関して、実施例を示す図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００１９】
１．除染袋
図１は、放射性セシウム吸着剤が封入された除染袋の構成を示したものである。放射性セシウム吸着剤６は、通水性布帛を有する外袋７内に封入されている。同図において、除染袋１は不織布製の巾着袋から構成されている。
除染袋１の開口部２には紐を通すための通路３が形成されており、この通路３の両端に紐孔３ａ、３ｂが設けられている。
一方の紐孔３ａから第一の引締め紐４が挿通され、上記通路３内を一周して同じ紐孔３ａから引き出され、引締め紐４の両端は結び合せられている。同様に、他方の紐孔３ｂから第二の引締め紐５が挿通され、上記通路３内を一周して同じ紐孔３ｂから引き出され、引締め紐５の両端が結び合せられる。
一般的な巾着袋と同様に、第一の引締め紐４の結び目４ａと第二の引締め紐５の結び目５ａとを互いに逆方向に引っ張ることにより、除染袋１の開口部２が絞られ、閉じられるようになっている。
【００２０】
本発明に係る外袋７の容量は、１０ｍＬ〜２５Ｌであり、より好適には７０ｍＬ〜１５Ｌである。特に本発明では、外袋容量が１００〜２０００ｍＬの小袋が好ましく、より好適には２５０〜１８００ｍＬである。除染作業後の除染袋１は水を含んでおり、水を含んだ除染袋１は重く、除染袋１の回収作業の作業効率を低下させることがある。そのため、本発明では、除染袋１を片手でも持ち上げられる程度の小袋とすることが望ましい。
【００２１】
また本発明では、除染袋１中に、放射性セシウム吸着剤６が存在しない空間を設けることにより、水中で放射性セシウム吸着剤６を浮遊させ、汚染水と放射性セシウム吸着剤６とを、均一に接触させている。すなわち、外袋７内に封入する放射性セシウム吸着剤６は、乾燥時の見かけ容量（タップ容量）が、外袋７の容量に対して０．０１〜０．８倍、より好適には０．０３〜０．６倍、更に好適には０．０５〜０．３倍の量となるように調整している。本構成によれば、汚染水と放射性セシウム吸着剤６が満遍なく接触できるため、放射性セシウムの回収効率を高めることができ、無駄が少なく経済的である。なお、前記見かけ容量（タップ容量）とは、容器に乾燥した放射性セシウム吸着剤６を入れ、放射性セシウム吸着剤６の容量の低下が止まるまで容器をタッピングし続けた後の放射性セシウム吸着剤６の容量をいう。
【００２２】
＜放射性セシウム吸着剤＞
上記構成を有する除染袋１は、外袋７内に放射性セシウム吸着剤６を封入することにより得られる。封入される放射性セシウム吸着剤６の量は、１５ｋｇ以下であれば特に限定されず、好適には１０〜６０００ｇ、より好適には３０〜２５００ｇ、更に好適には５０〜１０００ｇである。除染袋１を１００〜２０００ｍＬ程度の小袋とする場合は、外袋７内に、放射性セシウム吸着剤６を２０〜３００ｇ封入することが好ましく、より好適には２５〜２００ｇである。
【００２３】
放射性セシウム吸着剤６としては、除染袋１の設置箇所に応じて、フェロシアン化鉄、フェロシアン化カリウム、フェロシアン化アンモニウム等のフェロシアン化物を構成要素の一部に有するフェロシアン化物系吸着剤；結晶構造中に比較的大きな空隙を有するゼオライト等を使用するとよい。フェロシアン化物系吸着剤は、例えば、アルカリ金属イオンが豊富に存在する場所での使用に好適であり、具体的には、海での使用に適している。一方、除染袋１を、汚染水の放射線量１０万Ｂｑ／ｋｇ以上の高放射線地域や、汚染水が塩基性の場所に設置する場合には、フェロシアン化物系吸着剤を用いるとフェロシアン化物が分解する虞があるため、ゼオライトを用いることが望ましい。
【００２４】
放射性セシウム吸着剤６の形状は、表面積が広くなるよう、粒状又はチップ状であることが望ましい。
【００２５】
放射性セシウム吸着剤６は、例えば、篩い分けによる粒子径の範囲が、０．１〜１０ｍｍであることが好ましく、より好適には０．２〜５ｍｍであり、更に好適には０．５〜２ｍｍである。放射性セシウム吸着剤６の粒子径が前記範囲内であれば、放射性セシウム吸着剤６が、外袋７の繊維間から外部へ漏れ出すことがない。また、放射性セシウム吸着剤６の表面積が大きくなるため好ましい。
【００２６】
＜除染袋の形態＞
図１に示すように、放射性セシウム吸着剤６は、通水性を有する外袋７内に収納され、開口部２が閉じられている。除染袋１の形状は限定されるものではなく、巾着袋以外にも、例えば、円筒状の袋、カプセル状の袋、球状の袋、多角形状の袋等を好適に採用できる。
【００２７】
また開口部２は、縫合；引締め紐による絞り；融着；接着剤を介した貼り合せ；ニードルパンチ加工等に代表される繊維の機械的絡合法；面ファスナー、ホック、ボタン留め等の連結手段を介した結合；等により、閉じることが好ましく、中でも、縫合、引締め紐による絞り、融着又は接着がより好適である。特に本発明では、開口部２は、端部で閉じられることが好ましい。開口端部を閉じることにより、除染袋１内で放射性セシウム吸着剤６が自由に浮遊できる空間を確保することができる。
【００２８】
＜布帛＞
本発明では、巾着袋を構成する布帛は、不織布に限られず、織物、編物、組物、レース、網等を使用できる。
【００２９】
上記布帛には、ポリエチレンテレフタレート繊維、ポリトリメチレンテレフタレート繊維、ポリ乳酸繊維等のポリエステル繊維；ポリアリレート繊維；ナイロン６、ナイロン６６などの脂肪族ポリアミド繊維；アラミド繊維等の芳香族ポリアミド繊維；ポリイミド繊維；アクリル繊維；ポリプロピレン繊維、ポリエチレン繊維等のポリオレフィン繊維；ポリウレタン繊維等の合成繊維；ガラス繊維；金属を細く伸ばした金属繊維；綿、麻等の天然繊維；レーヨン等の再生繊維；アセテート繊維等の半合成繊維；芯鞘型構造を有する複合繊維；等の各種繊維を使用することができる。これらの繊維は単独で使用してもよく、また複数を混綿して使用してもよい。また、繊維の断面形状は特に限定されるものではない。使用時に除染袋１は、汚染水と接触するため、布帛としては抗菌性を有するポリ乳酸繊維を使用することが望ましい。また、土壌の放射線量が１０万Ｂｑ／ｋｇ以上の放射能量が高い高放射線地域の汚染水を、除染の対象とする場合には、ポリアリレート繊維、芳香族ポリアミド繊維、ガラス繊維、金属繊維等を採用するとよい。
【００３０】
また、上記布帛の通水量としては、１０ｃｍφ当たり５〜１５００ｍＬ／ｍｉｎであることが好ましく、より好ましくは１０〜１０００ｍＬ／ｍｉｎであり、更に好ましくは２００〜７００ｍＬ／ｍｉｎである。布帛の通水量が前記範囲内であれば、水の通りが良好な除染袋１が得られるため、放射性セシウムの除去効率を高めることができる。また、布帛の通水量が前記範囲内であれば、使用後の除染袋１の水切りも簡便に行うことができる。なお、布帛の通水量の測定方法は、実施例の欄で詳述する。
【００３１】
上記布帛として、不織布を採用する場合、不織布はサーマルボンド法によって形成されることが望ましい。サーマルボンド法によって形成される不織布は、薄く通水性に優れることから、除染袋１それ自体をフィルターとして機能させることができるという利点がある。それにより、水中に浮遊する不純物が放射性セシウム吸着剤６に付着することを防止することができ、放射性セシウム吸着剤６の除染性能を維持することができる。
【００３２】
なお、上記除染袋１は所望の強度を有し、耐水性（水と接触させて使用されるため）が得られるものであればサーマルボンド法に限らず、例えばスパンボンド法、ケミカルボンド法、ニードルパンチ法、スチームジェット法、水流絡合法、エレクトロスピニング法等によって製造された不織布を利用することもできる。また、将来開発されるであろう新規な製法にも限定されるものでもない。
【００３３】
上記布帛は、フェロシアン化物で被覆されていることがより好ましい態様である。布帛にフェロシアン化物を被覆することにより、放射性セシウムの回収効率を高めることができる。
【００３４】
また除染袋１には、予め抗菌加工や防カビ加工を施すことが好ましい。これらの加工を施しておくと、除染袋１が水垢等に覆われることを防止でき、放射性セシウムの回収効率の低下や、除染袋１の交換頻度の上昇を回避できる。防カビ剤としては、例えば、ベンゾイミダゾール化合物、チアベンダゾール等を含むイミダゾール化合物；イソチアゾール化合物；トリアゾール化合物；等の含窒素５員環化合物を含む防カビ剤が好適である。
【００３５】
布帛を構成する繊維の繊維径は、例えば１〜７０ｄｔｅｘが好ましく、より好適には１．５〜５０ｄｔｅｘ、更に好適には４〜４０ｄｔｅｘである。
【００３６】
更に、布帛の目付としては１０〜２００ｇ／ｍ2であることが好ましく、より好適には１２〜１７５ｇ／ｍ2、更に好ましくは１５〜１５０ｇ／ｍ2である。
【００３７】
２．除染袋の使用方法
次に、除染袋１の使用方法について詳述する。図２は、除染袋１の使用方法の一例である海での使用態様を示した説明図である。除染袋１を、海の除染に使用するときは、除染袋１の１つ以上と、これらと直接又は間接的に結合するアンカー８とを備えた除染器具９を、水中に一定期間沈めるとよい。
【００３８】
除染袋１とアンカー８との結合は、例えば、除染袋１に紐や鎖等のアンカーライン１０を固定し、このアンカーライン１０を介して、除染袋１とアンカー８とを結合する方法；除染袋１を、金属製又はプラスチック製などの耐久性を有する籠内に収納し、該籠とアンカー８とを直接又は間接的に結合する方法；除染袋１を網などの面固定具に固定した後、この面固定具とアンカー８とを直接又は間接的に結合する方法；等が挙げられる。
【００３９】
前記アンカーライン１０は、除染袋１を設置する水深に応じて、適宜長さを調節するとよい。
【００４０】
更に、前記除染器具には、水浮遊体１１を備えることが望ましい。水浮遊体１１は、例えば、除染袋１の１つ以上と連結されていることが望ましい。また、水浮遊体１１としては、例えば、ブイ；イカダや漁船等の船舶；等を使用することができる。
【００４１】
前記水浮遊体１１と除染袋１は、紐や鎖等の連結ライン１２により、結合することが望ましい。連結ライン１２は、例えば、除染袋１の上部と結合することが好ましい態様である。
【００４２】
また、海の漂流物や岩等の突起物により除染袋１が破損しないよう、金網などの保護器具を用いて除染袋１を覆うことが望ましい。
【００４３】
除染袋１は、海での除染に限られず、河川、家屋や道路の側溝等の除染にも好適に使用される。
【００４４】
＜河川での使用＞
除染袋１を、河川に沈めて使用するときは、除染袋１が流されることのないよう、除染袋１は比較的川の流れの緩い箇所に設置することが望ましい。設置箇所の流速は、例えば、０〜１２０ｍ／ｍｉｎであることが好ましく、より好適には０．１〜５０ｍ／ｍｉｎであり、更に好適には０．５〜１０ｍ／ｍｉｎである。河川の流れの緩い箇所に設置することにより、できるだけ除染袋１を滞留させることが望ましい。
【００４５】
河川の除染作業に好適に使用できる除染器具９としては、前述した、除染袋１の１つ以上と、これらと直接又は間接的に結合するアンカー８とを備えた除染器具９を用いることができる。
【００４６】
また除染器具としては、除染袋１の浮き上がりを防止するために除染袋１内に錘材を入れた器具の使用も可能である。除染袋１は、後述するように、除染袋１をフィルター材で覆うことも可能であり、前記錘材は、当該フィルター材に挿入することもできる。このように、錘材をフィルター材に挿入しておけば、除染袋１と錘材を分離して回収できるため、後の除染処理が容易となるため好ましい。
【００４７】
また、台風や大雨などによる河川の急な増水に備えて、除染器具９として使用する除染袋１は、外袋容量が１０〜２０００ｍＬの小袋とすることがより望ましい態様である。本構成により、水を含んだ除染作業後の除染袋１であっても片手で持ち上げることができるため、除染器具の引き上げを迅速に行うことが可能となる。
【００４８】
＜個人レベルの要求に応じた使用＞
除染袋１を家屋や道路の側溝に一定期間沈めることにより、汚染水を除染できる。また、汚染水をドラム缶等の容器に貯めておき、そこへ除染袋１を一定期間浸漬させ、除染作業を行うことも可能である。
【００４９】
更に、除染袋１は複数設置することが望ましい。除染袋１を複数設置することにより、除染効果を高めることができる。除染袋１の設置個数は、設置箇所に応じて適宜選定すればよく、好適には５個以上である。特に、除染袋１を河川に浸漬させる場合には、２０〜７０個設置することが好ましく、より好適には３０〜６０個である。また、家屋の側溝に除染袋１を浸漬させる場合には、５〜３０個であることが好ましく、より好適には７〜２０個である。
【００５０】
＜除染方法＞
除染袋１の交換頻度は特に限定されるものではないが、例えば、１日〜半年が好ましく、より好適には３日〜３ヶ月であり、更に好適には１週間〜２ヶ月である。交換時期の目安は、例えば、測定される汚染水の放射線量が平衡に達したとき；また除染袋１の外袋７が目詰まりすると、除染効果が低下するため、外袋７が水垢、泥、油などで覆われてしまったとき等が挙げられる。
【００５１】
除染袋１の設置箇所にゴミが多い場合、除染袋１の外側に、フィルター材を積層することも可能である。フィルター材は、通水性を確保できるよう、比較的目の粗い材料が好ましく、除染袋１の外袋７の素材よりも通水量が高いことがより望ましい。フィルター材の積層方法は特に限定されないが、例えば、フィルター材から構成されるフィルター容器内に、除染袋１を収容する方法；外袋７の生地とフィルター材の生地を予め積層しておき、得られた積層体を用いて外袋７を形成する方法；等が挙げられる。
【００５２】
上記フィルター材の材質としては、例えば、ポリエステル系樹脂、ポリオレフィン系樹脂等の熱可塑性樹脂；ステンレス等の金属；綿、麻などの天然系素材；等が好適である。
【００５３】
上記フィルター材は、フェロシアン化物で被覆されていることがより好ましい態様である。フィルター材にフェロシアン化物を被覆することにより、放射性セシウムの回収効率を高めることができる。
【００５４】
一方、上記フィルター材は、水垢等に覆われると、放射性セシウムの回収効率が低下したり、除染袋１の交換頻度が上昇するため、フィルター材には、予め抗菌加工や防カビ加工を施すことが好ましい。防カビ剤としては、例えば、ベンゾイミダゾール化合物、チアベンダゾール等を含むイミダゾール化合物；イソチアゾール化合物；トリアゾール化合物；等の含窒素５員環化合物を含む防カビ剤が好適である。
【００５５】
３．回収箱
図３は、除染に供せられ、水中から取り出された使用済みの除染袋１を回収するための回収箱２０の構成を示した斜視図である。除染袋１は、水中に沈められ、一定期間水中に浸漬され放射性セシウムを吸着させた後、水中から取り出すことにより回収される。回収箱２０により、除染袋１を安全に処分場まで輸送することが可能となる。
【００５６】
同図において、回収箱２０は、収容部本体２０ａと、その収容部本体２０ａにヒンジを介して接続される蓋体２０ｂと一体成形によって形成した合成樹脂製容器からなり、蓋体２０ｂには係止部２０ｃが備えられ、収容部本体２０ａの開口側縁部にはその係止部２０ｃが係合される被係止部２０ｄが備えられている。
【００５７】
収容部本体２０ａ内にはその内壁に沿って放射線遮蔽シート２０ｅが付設されている。それにより、回収箱２０内に水切りした除染袋１を挿入し、蓋体２０ｂを閉じると、放射線遮蔽シート２０ｅによって除染袋１を完全に遮蔽することができるようになっている。
【００５８】
蓋体２０ｂの内側にも放射線遮蔽シート２０ｆを付設することができる。放射線遮蔽シート２０ｆを設けることにより、遮蔽効果を更に高めることができる。なお、本発明では、回収箱の形態は箱状に限定されるものではなく、除染袋１を密閉できる形態であれば好適に使用できる。
【００５９】
＜放射線遮蔽シート＞
上記放射線遮蔽シート２０ｅ、２０ｆは、遮蔽剤として、α線、β線、γ線の遮蔽能の高い単体または化合物の粉末を、強度に優れたゴムやエラストマー等の基材に練り込んでシート状にしたものを使用することが望ましい。
【００６０】
遮蔽剤としては、例えば、バリウム、タングステン、鉛から選ばれる少なくとも１種の単体または化合物が例示できる。バリウム、タングステン、鉛等の比較的原子番号が大きな元素を用いることにより、α線、β線及びエネルギーの低いγ線からの被爆量を有効に軽減することができる。バリウム、タングステン、鉛を構成元素に有する化合物としては、例えば、硫酸バリウム、酸化タングステン、タングステンカーバイド、酸化鉛等を例示できる。本発明では、元素が安価であることから、バリウム、タングステンを採用することが好ましい。また、これらの遮蔽剤は、一種のみで使用することも可能であり、また複数種を混合することも可能である。更に、バリウム、タングステン、鉛から選ばれる少なくとも１種の単体または化合物を主成分とする限り、上記以外の他の成分を混合してもよい。
【００６１】
基材としては、強度に優れた樹脂の使用が好ましく、ゴムやエラストマー等が好適に使用できる。ゴムとしては、クロロプレンゴム、シリコーンゴム、エチレンプロピレンゴム、アクリロニトリルブタジエンゴム、スチレンブタジエンゴム等が例示でき、エラストマーとしては、ポリエステル系、ポリオレフィン系、シリコーン系の熱可塑性エラストマーが例示できる。中でも、ゴムの使用が望ましく、クロロプレンゴムがより好適である。
【００６２】
遮蔽剤の配合量は、基材となる樹脂１００重量部に対して、遮蔽剤が５〜９５重量部であることが好ましく、より好ましくは３０〜９５重量部であり、更に好ましくは７０〜９５重量部である。遮蔽剤の配合量が５重量部を下回ると、放射線の遮蔽効率が低下する虞があるため好ましくない。
【００６３】
放射線遮蔽シート２０ｅ、２０ｆの厚さは、例えば、０．３〜４ｍｍであることが好ましく、より好ましくは０．５〜３ｍｍであり、更に好ましくは１．５〜２．５ｍｍである。
【００６４】
また、当該放射線遮蔽シート２０ｅ、２０ｆには、上記遮蔽剤が９００〜３５００ｇ／ｍ2含有されていることが望ましく、より好ましくは１０００〜２５００ｇ／ｍ2である。
【００６５】
単層の放射線遮蔽シート２０ｅ、２０ｆのＸ線透過率は０．１〜３０％であるが、放射線遮蔽シート２０ｅ、２０ｆは多層に重ねて使用すれば遮蔽効果を更に高めることができる。
【００６６】
なお、本実施形態では回収箱２０を合成樹脂製容器で構成したが、これに限らず、金属、木材等で構成することもできる。
【００６７】
除染作業後の除染袋１は、多量の放射性セシウムを回収しているため、自治体等の指示に従って適切な方法により処理することが要求される。
【実施例】
【００６８】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００６９】
＜布帛の通水量＞
ＪＩＳ  Ａ１２１８  ４．１ａ）の透水係数測定方法に準じ、布帛を試料として用いたときの透水係数を測定した後、下記式（１）に基づいて通水量を算出した。
通水量（ｍＬ／ｍｉｎ）＝透水係数（ｃｍ／ｓ）×（１０ｃｍφの面積：７８．５ｃｍ2）×６０秒  …（１）
【００７０】
実施例１
繊維径６．６ｄｔｅｘのポリエチレンテレフタレート（ＰＥＴ）繊維及び繊維径４．４ｄｔｅｘのレギュラーポリエステル（Ｌ−ＰＥＴ）とポリエチレンの芯鞘繊維を原料とするサーマルボンド不織布（呉羽テック社製「ＤＳ−１６」、通水量９００ｍＬ／ｍｉｎ、目付５０ｇ／ｍ2）を用い、幅２１０ｍｍ×長さ２５０ｍｍの容量１８００ｍＬの図１に示した構造を有する巾着袋を縫製した。前記巾着袋内に、フェロシアン化鉄（大日精化工業社製「セシウムソーブグラニュー」、平均粒子径：１．５ｍｍ）１００ｇを入れ、除染袋を作製した。フェロシアン化鉄の見かけ容量は９０ｍＬである。
このようにして作製された除染袋を１０個準備し、除染袋の紐を絞り、アンカーラインを打った状態で、家屋の側溝に１ヶ月間静置した。
放射線量測定機器（堀場製作所社製「ＰＡ−１０００Ｒａｄｉ」）を用いて、汚染水の放射線量を測定したところ、放射線量が平衡に達したため、１ヶ月後、放射性セシウム回収後の除染袋の水を切り、放射線遮蔽シートが備えられた回収箱内に除染袋を回収した。
回収後の除染袋は、回収箱と共に自治体指定の廃棄物回収業者に託し、適切な方法により処分した。本実験により、除染袋中のフェロシアン化鉄が吸着した放射能は、０Ｂｑ／ｋｇから２０００Ｂｑ／ｋｇに増加していた。
【００７１】
実施例２
巾着袋の材料を、ポリエステルスパンボンド不織布（東洋紡績社製「エクーレ（登録商標）３Ａ０１Ａ」、通水量４２ｍＬ／ｍｉｎ、目付１００ｇ／ｍ2）に変えたこと以外は実施例１と同じ方法により、巾着袋を作製した。前記巾着袋内に、ゼオライト（新東北化学工業社製「ゼオフィル（登録商標）１４２４＃」、平均粒子径：１．０〜１．４ｍｍ）１００ｇを入れ、除染袋を作製した。ゼオライトの見かけ容量は１４０ｍＬである。
このようにして作製された除染袋を１０個準備し、除染袋の口を縛った状態で、家屋外表面を高圧洗浄する際に排出される汚染水を貯めたドラム缶に２４時間浸漬させた。
２４時間経過後、放射性セシウム回収後の除染袋の水を切り、放射線遮蔽シートが備えられた回収箱内に除染袋を回収した。
回収後の除染袋は、回収箱と共に自治体指定の廃棄物回収業者に託し、適切な方法により処分した。本実験により、除染袋中のフェロシアン化鉄が吸着した放射能は、０Ｂｑ／ｋｇから３０００Ｂｑ／ｋｇに増加していた。
【００７２】
実施例３
繊維径１．７ｄｔｅｘのポリ乳酸繊維（ユニチカ社製「テラマック（登録商標）」）から形成されるサーマルボンド不織布（通水量５００ｍＬ／ｍｉｎ、目付３０ｇ／ｍ2）を用い、幅２１０ｍｍ×長さ２５０ｍｍの容量１８００ｍＬの袋を熱融着により形成した。前記袋内に、フェロシアン化鉄（大日精化工業社製「セシウムソーブグラニュー」）１００ｇを入れ、巾着袋の口を熱圧着（圧着温度１８０℃、圧着時間１０秒）することにより除染袋を作製した。フェロシアン化鉄の見かけ容量は９０ｍＬである。
このようにして作製された除染袋を５０個準備し、除染袋にアンカーラインを打った状態で、河川に２ヶ月間静置した。２ヶ月後、除染袋を引き上げ観察したところ、除染袋には水垢が付着しておらず、ポリ乳酸繊維を使用したことによる抗菌効果が確認された。回収後の除染袋の水を切り、放射線遮蔽シートが備えられた回収箱内に除染袋を回収した。回収後の除染袋は、回収箱と共に自治体指定の廃棄物回収業者に託し、適切な方法により処分した。
【００７３】
比較例１
ＰＥＴを原料とするスパンボンド不織布（目付２５０ｇ／ｍ2）を用い、幅１００ｃｍ×長さ１００ｃｍの袋を作製した。前記袋内に、籾殻１０ｋｇを入れ、袋の口を縫製することにより放射性セシウム吸着袋を作製した。
このようにして作製された放射性セシウム吸着袋を田畑の排水水路に１ヶ月間静置した。１ヶ月経過後、放射性セシウム吸着袋を回収したが、放射性セシウム吸着袋の水切れが悪く、回収が困難であった。また、放射性セシウムはほとんど回収されていなかった。
【００７４】
比較例２
ＰＥＴを原料とするスパンボンド不織布（目付３００ｇ／ｍ2）を用い、幅５０ｃｍ×長さ５０ｃｍの袋を作製した。前記袋内に、活性炭１０ｋｇを入れ、袋の口を縫製することにより放射性セシウム吸着袋を作製した。
このようにして作製された放射性セシウム吸着袋を田畑の排水水路に１ヶ月間静置した。１ヶ月経過後、放射性セシウム吸着袋を回収したが、放射性セシウム吸着袋の水切れが悪く、回収が困難であった。また、放射性セシウムはほとんど回収されていなかった。
【００７５】
比較例３
ＰＥＴを原料とするスパンボンド不織布（目付３５０ｇ／ｍ2）を用い、幅１００ｃｍ×長さ１００ｃｍの袋を作製した。前記袋内に、ベンナイト１０ｋｇを入れ、袋の口を縫製することにより放射性セシウム吸着袋を作製した。
このようにして作製された放射性セシウム吸着袋を田畑の排水水路に１ヶ月間静置した。１ヶ月経過後、放射性セシウム吸着袋を回収したが、放射性セシウム吸着袋の水切れが悪く、回収が困難であった。また、放射性セシウムはほとんど回収されていなかった。
【符号の説明】
【００７６】
１  除染袋
２  開口部
３  通路
３ａ，３ｂ  紐孔
４  第一の引締め紐
４ａ  第一の引締め紐の結び目
５  第二の引締め紐
５ａ  第二の引締め紐の結び目
６  放射性セシウム吸着剤
７  外袋
８  アンカー
９  除染器具
１０  アンカーライン
１１  水浮遊体
１２  連結ライン
２０  回収箱
２０ａ  収容部本体
２０ｂ  蓋体
２０ｃ  係止部
２０ｄ  被係止部
２０ｅ、２０ｆ  放射線遮蔽シート
【図１】
2014055855.tif 000003
【図２】
2014055855.tif 000004
【図３】
2014055855.tif 000005